(57)【要約】【課題】印刷するユーザの意思によらず、強制的に印刷物に透かしを挿入することが可能となり、機密情報の印刷物による漏洩を容易に防止することができる透かし印刷管理システムを提供する。【解決手段】印刷管理サーバ２と、印刷物に透かしを印刷するプリンタ３と、プリンタ３及び印刷管理サーバ２に接続され、印刷管理サーバ２の制御に基づき、プリンタ３の出力を制御するユーザ端末５とを備えた透かし印刷管理システム１であって、印刷管理サーバ２は、透かし印刷ポリシー定義ファイル６、及び、透かし印刷定義情報ファイル７を格納する記憶手段８，９と、透かし定義情報作成ユーティリティ１０とを備え、前記ユーザ端末５は、アプリケーションによって作成された印刷データに対し透かし制御に必要な情報を付加する透かし印刷ドライバ１１を備えている。【選択図】図１
2007094620.tif 000002
【特許請求の範囲】
【請求項１】
印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、アプリケーションによって作成された印刷データに対し透かし制御に必要な情報を付加する透かし印刷ドライバと、
透かし描画を追加する為のコマンドを印刷データ内に追加する透かしプリントプロセッサと、
プリンタと透かしプリントプロセッサのくくり付けを監視するプリントプロセッサ監視サービスとを備え、
更に、前記透かしプリントプロセッサは、透かし描画を追加する為のコマンドを印刷データ内に追加するコマンド追加手段を備え、
前記プリントプロセッサ監視サービスは、プリンタの設定状態を検知し、プリントプロセッサが透かしプリントプロセッサ以外のものに設定されていないかどうかをチェックするチェック手段と、
チェックの結果、異なるものがくくりつけられていた場合、透かしプリントプロセッサを割り当てる割当て手段とを備えることを特徴とする透かし印刷管理システム。
【請求項２】
上記印刷管理サーバは、上記透かし印刷ドライバからの透かし印刷ポリシーの問合せを受信するポリシー問合せ受信手段と、
該ポリシー問合せに基づき、上記透かし印刷ポリシー定義ファイルを参照するポリシー参照手段と、
参照結果である透かし印刷ポリシーを前記透かし印刷ドライバに送信するポリシー送信手段と、
前記透かし印刷ドライバからの透かし印刷定義情報の問合せを受信する定義情報問合せ受信手段と、
該透かし印刷定義情報に基づき、上記透かし印刷定義情報ファイルを参照する定義情報参照手段と、
参照結果である透かし印刷定義情報を前記透かし印刷ドライバに送信する定義情報送信手段とを備え、
上記透かし印刷ドライバは、前記印刷管理サーバに透かし印刷ポリシーを問い合わせるポリシー問合せ手段と、
前記印刷管理サーバから透かし印刷ポリシーを受信するポリシー受信手段と、
前記印刷管理サーバに透かし印刷定義情報を問い合わせる定義情報問合せ手段と、
前記印刷管理サーバから透かし印刷定義情報を受信する定義情報受信手段と、
定義情報を文書データに付加する定義情報付加手段と、
文書データを上記プリンタに出力するプリンタ出力手段とを備えることを特徴とする請求項１記載の透かし印刷管理システム。
【請求項３】
上記プリンタは、プリントサーバを介して上記ユーザ端末に接続されることを特徴とする請求項１又は２記載の透かし印刷管理システム。
【請求項４】
上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとることを特徴とする請求項１乃至３のうちいずれか一に記載の透かし印刷管理システム。
【発明の詳細な説明】
【技術分野】
【０００１】
本発明は、システム管理者の設定したポリシーに従って、印刷物に透かしを埋め込むことにより、企業内の情報の漏洩を防止することを目的とした透かし印刷管理システムに関するものである。
【背景技術】
【０００２】
従来、機密文書の印刷物には、「機密」などの目に見える透かしを付与することで、その文書の漏洩を防いでいる。或いは、文書上に容易には見えず、文書のコピー上に明確に見えるようになるような透かしを埋め込むことで情報の漏洩を検知・追跡する方法がとられている。更に、印刷物に透かしを埋め込む制御システムとして、特許文献１が提案されている。
【特許文献１】特開２００５−３８３７２
【発明の開示】
【発明が解決しようとする課題】
【０００３】
然しながら、従来、透かしを埋め込む場合に、印刷物に透かしを挿入するかどうかは印刷するプリンタに接続されたコンピュータのプリンタドライバの設定によるため、各作業コンピュータで作業している作業者に透かしを埋め込む意思がなければ、文書に透かしを挿入することはできない。
【０００４】
又、文書に透かしを埋め込んだとしても、透かしに入る「機密」などの文字列を定義しているのみであり、その文字列だけでは印刷した日時、場所、人物などの特定はできない。
【０００５】
更に、公知の透かし印刷制御方式では、印刷の制御のための特殊な機能を持ったプリンタ（デジタル複合機）を使用しなければならず、汎用性に欠ける問題があった。
【０００６】
以上の現状に鑑み、本発明は、印刷するユーザの意思によらず、強制的に印刷物に透かしを挿入することが可能となり、機密情報の印刷物による漏洩を容易に防止することができる透かし印刷管理システムを提供することを目的とする。
【課題を解決するための手段】
【０００７】
上記の課題を解決すべく、本発明は以下の構成を提供する。
請求項１に係る発明は、印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、アプリケーションによって作成された印刷データに対し透かし制御に必要な情報を付加する透かし印刷ドライバと、
透かし描画を追加する為のコマンドを印刷データ内に追加する透かしプリントプロセッサと、
プリンタと透かしプリントプロセッサのくくり付けを監視するプリントプロセッサ監視サービスとを備え、
更に、前記透かしプリントプロセッサは、透かし描画を追加する為のコマンドを印刷データ内に追加するコマンド追加手段を備え、
前記プリントプロセッサ監視サービスは、プリンタの設定状態を検知し、プリントプロセッサが透かしプリントプロセッサ以外のものに設定されていないかどうかをチェックするチェック手段と、
チェックの結果、異なるものがくくりつけられていた場合、透かしプリントプロセッサを割り当てる割当て手段とを備えることを特徴とする透かし印刷管理システムを提供するものである。
【０００８】
請求項２に係る発明は、上記印刷管理サーバは、上記透かし印刷ドライバからの透かし印刷ポリシーの問合せを受信するポリシー問合せ受信手段と、
該ポリシー問合せに基づき、上記透かし印刷ポリシー定義ファイルを参照するポリシー参照手段と、
参照結果である透かし印刷ポリシーを前記透かし印刷ドライバに送信するポリシー送信手段と、
前記透かし印刷ドライバからの透かし印刷定義情報の問合せを受信する定義情報問合せ受信手段と、
該透かし印刷定義情報に基づき、上記透かし印刷定義情報ファイルを参照する定義情報参照手段と、
参照結果である透かし印刷定義情報を前記透かし印刷ドライバに送信する定義情報送信手段とを備え、
上記透かし印刷ドライバは、前記印刷管理サーバに透かし印刷ポリシーを問い合わせるポリシー問合せ手段と、
前記印刷管理サーバから透かし印刷ポリシーを受信するポリシー受信手段と、
前記印刷管理サーバに透かし印刷定義情報を問い合わせる定義情報問合せ手段と、
前記印刷管理サーバから透かし印刷定義情報を受信する定義情報受信手段と、
定義情報を文書データに付加する定義情報付加手段と、
文書データを上記プリンタに出力するプリンタ出力手段とを備えることを特徴とする請求項１記載の透かし印刷管理システムを提供するものである。
【０００９】
請求項３に係る発明は、上記プリンタは、プリントサーバを介して上記ユーザ端末に接続されることを特徴とする請求項１又は２記載の透かし印刷管理システムを提供するものである。
【００１０】
請求項４に係る発明は、上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとることを特徴とする請求項１乃至３のうちいずれか一に記載の透かし印刷管理システムを提供するものである。
【発明の効果】
【００１１】
本発明の請求項１記載の発明によれば、印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、アプリケーションによって作成された印刷データに対し透かし制御に必要な情報を付加する透かし印刷ドライバと、
透かし描画を追加する為のコマンドを印刷データ内に追加する透かしプリントプロセッサと、
プリンタと透かしプリントプロセッサのくくり付けを監視するプリントプロセッサ監視サービスとを備え、
更に、前記透かしプリントプロセッサは、透かし描画を追加する為のコマンドを印刷データ内に追加するコマンド追加手段を備え、
前記プリントプロセッサ監視サービスは、プリンタの設定状態を検知し、プリントプロセッサが透かしプリントプロセッサ以外のものに設定されていないかどうかをチェックするチェック手段と、
チェックの結果、異なるものがくくりつけられていた場合、透かしプリントプロセッサを割り当てる割当て手段とを備える透かし印刷管理システムを提供するので、印刷するユーザの意思によらず、強制的に印刷物に透かしを挿入することが可能となり、機密情報の印刷物による漏洩を容易に防止することができる。
【００１２】
請求項２記載の発明によれば、上記印刷管理サーバは、上記透かし印刷ドライバからの透かし印刷ポリシーの問合せを受信するポリシー問合せ受信手段と、
該ポリシー問合せに基づき、上記透かし印刷ポリシー定義ファイルを参照するポリシー参照手段と、
参照結果である透かし印刷ポリシーを前記透かし印刷ドライバに送信するポリシー送信手段と、
前記透かし印刷ドライバからの透かし印刷定義情報の問合せを受信する定義情報問合せ受信手段と、
該透かし印刷定義情報に基づき、上記透かし印刷定義情報ファイルを参照する定義情報参照手段と、
参照結果である透かし印刷定義情報を前記透かし印刷ドライバに送信する定義情報送信手段とを備え、
上記透かし印刷ドライバは、前記印刷管理サーバに透かし印刷ポリシーを問い合わせるポリシー問合せ手段と、
前記印刷管理サーバから透かし印刷ポリシーを受信するポリシー受信手段と、
前記印刷管理サーバに透かし印刷定義情報を問い合わせる定義情報問合せ手段と、
前記印刷管理サーバから透かし印刷定義情報を受信する定義情報受信手段と、
定義情報を文書データに付加する定義情報付加手段と、
文書データを上記プリンタに出力するプリンタ出力手段とを備えるので、請求項１記載の発明の効果に加え、透かし印刷ポリシー及び透かし印刷定義情報を印刷管理サーバから一元的に提供することができ、印刷管理サーバから提供される透かし印刷ポリシー及び透かし印刷定義情報に基づき、透かし印刷ドライバを出力させることができる。
【００１３】
請求項３記載の発明によれば、上記プリンタは、プリントサーバを介して上記ユーザ端末に接続されるので、請求項１又は２記載の発明の効果に加え、ユーザ端末に負担を掛けることなくプリンタによる印刷が可能になり、且つ、プリンタもユーザ端末に拘束されることなく、自由な印刷が可能となる。
【００１４】
請求項４記載の発明によれば、上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとるので、請求項１乃至３のうちいずれか一に記載の発明の効果に加え、透かし情報を容易に定義できると共に、データ処理が容易であり、且つ、多様な透かし印刷が可能となる。
【発明を実施するための最良の形態】
【００１５】
以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は、本発明の第１実施例の透かし印刷管理システムを示し、透かし印刷管理システム１は、印刷ポリシーに従い、印刷物への透かしの挿入を制御する印刷管理サーバ２と、印刷物に透かしを印刷するプリンタ３と、プリンタ３をローカルに接続すると共に、印刷管理サーバ２にネットワーク４を介して接続され、印刷管理サーバ２の制御に基づき、プリンタ３の出力を制御するユーザ端末５とを備えている。
【００１６】
そして、前記印刷管理サーバ２は、印刷要求をするユーザ又はグループ毎に透かしの有無と、透かしの種類とを定義した透かし印刷ポリシーを収納する透かし印刷ポリシー定義ファイル６、及び、透かしのレイアウト、位置、大きさ等、透かしの出力内容である透かし印刷定義情報を収納する透かし印刷定義情報ファイル７を夫々格納する記憶手段である記憶装置８，９を備え、更に、透かし印刷定義情報を定義するための透かし定義情報作成ユーティリティ１０とを備えている。
【００１７】
又、前記ユーザ端末５は、アプリケーションによって作成された印刷データに対し透かし制御に必要な情報を付加する透かし印刷ドライバ１１と、透かし描画を追加する為のコマンドを印刷データ内に追加する透かしプリントプロセッサ１２と、プリンタ３と透かしプリントプロセッサ１２のくくり付けを監視するプリントプロセッサ監視サービス１３とを備えている。
【００１８】
更に、図２に示すように、前記印刷管理サーバ２は、前記透かし印刷ドライバ１１からの透かし印刷ポリシーの問合せを受信するポリシー問合せ受信手段２１と、ポリシー問合せに基づき、前記透かし印刷ポリシー定義ファイル６を参照するポリシー参照手段２２と、参照結果である透かし印刷ポリシーを透かし印刷ドライバ１１に送信するポリシー送信手段２３と、透かし印刷ドライバ１１からの透かし印刷定義情報の問合せを受信する定義情報問合せ受信手段２４と、透かし印刷定義情報の問合せに基づき、前記透かし印刷定義情報ファイル７を参照する定義情報参照手段２５と、参照結果である透かし印刷定義情報を透かし印刷ドライバ１１に送信する定義情報送信手段２６とを備えている。
【００１９】
又、図３に示すように、前記透かし印刷ドライバ１１は、前記印刷管理サーバ２に透かし印刷ポリシーを問い合わせるポリシー問合せ手段３１と、印刷管理サーバ２から透かし印刷ポリシーを受信するポリシー受信手段３２と、印刷管理サーバ２に透かし印刷定義情報を問い合わせる定義情報問合せ手段３３と、印刷管理サーバ２から透かし印刷定義情報を受信する定義情報受信手段３４と、透かし印刷定義情報を文書データに付加する定義情報付加手段３５と、文書データをプリンタ３に出力するプリンタ出力手段３６とを備えている。
【００２０】
更に、前記透かしプリントプロセッサ１２は、透かし描画を追加する為のコマンドを印刷データ内に追加するコマンド追加手段４１を備えている。
【００２１】
更に又、前記プリントプロセッサ監視サービス１３は、プリンタ３の設定状態を検知し、プリントプロセッサが透かしプリントプロセッサ１２以外のものに設定されていないかどうかをチェックするチェック手段４２と、チェックの結果、異なるものがくくりつけられていた場合、透かしプリントプロセッサ１２を割り当てる割当て手段４３とを備える。
【００２２】
図４は透かし印刷定義情報ファイル７に格納するデータを作成する透かし定義情報作成ユーティリティ１０の説明図である。システム管理者である印刷管理サーバ２操作者は、ディスプレイ装置５２を見ながら、キーボード及びマウス５１を使用して、透かし定義情報作成ユーティリティ１０に対して、透かし印刷定義情報を指定する。指定された透かし印刷定義情報のデータは、透かし印刷定義情報ファイル７内に格納される。
【００２３】
図５は、前記透かし印刷管理システム１に於いて、透かし印刷ドライバ１１が透かし印刷情報の付加を決定する処理フローを示す。同図及び前図１乃至図３を用いて、処理の流れを説明すると、先ず、ユーザがユーザ端末５から文書の印刷をする場合、透かし印刷ドライバ１１がポリシー問合せ手段３１によって、印刷管理サーバ２へ透かし印刷ポリシーの問合せを行う（ステップＳ１）。
【００２４】
印刷管理サーバ２は、ポリシー問合せ受信手段２１によって、印刷ドライバ１１からの問合せを受信すると、ポリシー参照手段２２によって、透かし印刷ポリシー定義ファイル６を参照し、ポリシー送信手段２３によって、問い合わせのあったユーザに対する透かし印刷ポリシーの参照結果を透かし印刷ドライバ１１へ送信（応答）する。
【００２５】
その際、ユーザが透かしあり印刷ユーザであった場合、透かし印刷ポリシーとして「透かし印刷あり」が送信（応答）され、透かし印刷ドライバ１１は、ポリシー受信手段３２によって透かし印刷ポリシーを受信すると、定義情報問合せ手段３３によって、透かし印刷定義情報を印刷管理サーバ２へ問い合わせる（ステップＳ２）。
【００２６】
印刷管理サーバ２は、定義情報問合せ受信手段２４によって、透かし印刷定義情報の問合せを受信すると、定義情報参照手段２５によって、透かし印刷定義情報ファイル７を参照し、定義情報送信手段２６によって、透かし印刷定義情報を透かし印刷ドライバ１１へ送信（応答）する。
【００２７】
透かし印刷ドライバ１１は、定義情報受信手段３４によって、透かし印刷定義情報を受信する。
【００２８】
そして、前記透かし印刷ドライバ１１は、定義情報付加手段３５によって、受信した透かし印刷定義情報を文書データに付加し（ステップＳ３）、プリンタ出力手段３６によって、プリンタ３へ出力する（ステップＳ４）。
【００２９】
この時、前記プリントプロセッサ監視サービス１３が、チェック手段４２によって、プリンタ３の設定状態を検知し、プリントプロセッサ（図示せず）が透かしプリントプロセッサ１２以外のものに設定されていないかをチェックし、透かしプリントプロセッサ１２以外のものに設定されている場合は、透かしプリントプロセッサ１２を割当てる。
【００３０】
次に、前記透かしプリントプロセッサ１２が、コマンド追加手段４１によって、コマンドを印刷データ内に追加する。
【００３１】
そして、前記プリンタ３は、コマンドを追加された印刷データに基づき、透かし印刷を行なう。
【００３２】
尚、ユーザが透かしなし印刷ユーザであった場合、即ち、透かし印刷ポリシーとして透かし印刷なしが応答された場合、透かし印刷ドライバ１１は、定義情報付加手段３５によって、文書データに透かし印刷定義情報を付加することなく、プリンタ出力手段３６によって、プリンタ３へ出力する（ステップＳ４）。
【００３３】
図６は、透かし定義情報設定ダイアログで、透かし定義情報作成ユーティリティ１０が起動されるとディスプレイ装置５２に表示される。
【００３４】
図に於いて、欄５０１は、レイアウト指定ボックスで、透かしの情報を格子状に連続して配置するか、図に示す「単一」の如く、一箇所に一つだけ配置するかを選択する。欄５０２は、位置指定欄で、透かしを印刷する位置を指定する。
【００３５】
欄５０３は、回転角指定欄で、透かしの文字の傾きを指定する。欄５０４は、文字サイズ指定欄で、透かしの文字サイズを指定する。欄５０５は、行間指定欄で、透かしを連続して配置する場合の行間を指定する。欄５０６は、濃度パターン指定欄で、透かしの文字の濃度を指定する。
【００３６】
ボックス５０７は、固定文字指定チェックボックスで、このボックスがチェックされた場合、文字列指定欄５０８に指定された文字列を固定文字として出力する。ボックス５０９は、ログインＩＤ指定チェックボックスで、このチェックボックスがチェックされた場合、固定文字としてログインＩＤを出力する。
【００３７】
ボックス５１０は、ドメイン指定チェックボックスで、このチェックボックスがチェックされた場合、ドメインを固定文字として出力する。ボックス５１１は、日時指定チェックボックスで、このチェックボックスがチェックされた場合、日時を固定文字として出力する。
【００３８】
ボックス５１２は、マシン名指定チェックボックスで、このチェックボックスがチェックされた場合、マシン名を固定文字として出力する。ボックス５１３は、ＩＰアドレス指定チェックボックスで、このチェックボックスがチェックされた場合、ＩＰアドレスを固定文字として出力する。
【００３９】
ボタン５１４は、読込ボタンで、読込ボタン５１４がクリックされた場合、透かし印刷定義情報ファイル７を読込み、保存されている情報をダイアログに表示する。
【００４０】
ボタン５１５は、保存ボタンで、保存ボタン５１５がクリックされた場合、ダイアログに指定されている透かし印刷定義情報を透かし印刷定義情報ファイル７に保存する。
【００４１】
ボタン５１６は、プレビューボタンで、プレビューボタン５１６がクリックされた場合、後述する透かし定義情報印刷プレビューダイアログをディスプレイ装置５２に表示する。
【００４２】
ボタン５１７は、テスト印刷ボタン５１７で、テスト印刷ボタン５１７がクリックされた場合、現在指定している透かし印刷定義情報をプリンタ３にテスト印刷する。
【００４３】
ボタン５１８は、終了ボタン５１８で、終了ボタン５１８がクリックされた場合、透かし定義情報作成ユーティリティ１０を終了する。
【００４４】
図７は、前記透かし定義情報作成ユーティリティ１０によって作成され、前記透かし印刷定義情報ファイル７に格納される電子データを示し、この電子データは印刷データに挿入する透かしのレイアウト、位置、大きさを示す記号を含む複数の記号を列挙したものであり、コンピュータ上のファイルのレコード形式に生成される。
【００４５】
図８は、透かし定義情報印刷プレビューダイアログで、ディスプレイ装置５２に表示される。
【００４６】
同図に於いて、領域６０１は、プレビュー表示領域で、前図６で示した透かし定義情報設定ダイアログで指定した情報で印刷するときの出力形式を表示する。
【００４７】
ボタン６０２は、印刷ボタン６０２で、印刷ボタン６０２がクリックされた場合、現在表示しているプレビューの形式をプリンタ３によって印刷する。
【００４８】
ボタン６０３は、拡大ボタン６０３で、拡大ボタン６０３がクリックされた場合、プレビューの画像を拡大する。
【００４９】
ボタン６０４は、縮小ボタン６０４で、縮小ボタン６０４がクリックされた場合、拡大されているプレビューの画像を元に戻す。
【００５０】
ボタン６０５は、閉じるボタン６０５で、閉じるボタン６０５がクリックされた場合、図６に示す透かし定義情報設定ダイアログに戻る。
【００５１】
斯くして、前記透かし印刷管理システム１は、印刷管理サーバ２から送信される透かし印刷ポリシーに基づき印刷されるので、印刷するユーザの意思によらず、強制的に印刷物に透かしを挿入することが可能となり、機密情報の印刷物による漏洩を容易に防止することができる。
又、前記透かし印刷管理システム1は、透かし印刷ポリシー及び透かし印刷定義情報を印刷管理サーバ２から一元的に提供することができ、印刷管理サーバ２から提供される透かし印刷ポリシー及び透かし印刷定義情報に基づき、透かし印刷ドライバ１１を出力させることができる。
【００５２】
更に、前記透かし印刷管理システム１に於いて、透かし印刷定義情報ファイル７は、印刷データに挿入する透かしのレイアウト、位置、大きさを示す記号を含む複数の記号を列挙した電子データを格納し、該電子データはコンピュータ上のファイルのレコード形式をとるので、レコード形式の電子データによって、透かし情報を容易に定義できると共に、データ処理が容易であり、且つ、多様な透かし印刷が可能となる。
【００５３】
図９に於いて、６１は、本発明の第２実施例の透かし印刷管理システムを示し、透かし印刷管理システム６１は、前記透かし印刷管理システム（図１に於いて１）に於いてユーザ端末５にローカル接続したプリンタ３を、ユーザ端末５から切り離し、ネットワーク４に接続したプリントサーバ６２に接続したものである。
【００５４】
前記透かし印刷管理システム６１に於いて、透かし印刷ドライバ１１が透かし印刷情報の付加を決定する処理フローは、前図５と同様であるので、その説明は省略する。但し、印刷データは、プリントサーバ６２を介してプリンタ３に送られ印刷される。
【００５５】
斯くして、前記透かし印刷管理システム６１は、前記透かし印刷管理システム１と同様に、印刷管理サーバ２から送信される透かし印刷ポリシーに基づき印刷されるので、印刷するユーザの意思によらず、強制的に印刷物に透かしを挿入することが可能となり、機密情報の印刷物による漏洩を容易に防止することができる。
【００５６】
又、プリンタ３がプリントサーバ６２に接続されるので、ユーザ端末５に負担を掛けることなくプリンタ３による印刷が可能になり、且つ、プリンタ３もユーザ端末５に拘束されることなく、自由な印刷が可能となる。
【図面の簡単な説明】
【００５７】
【図１】本発明による第１実施例の透かし印刷管理システムを概略的に示す構成図である。
【図２】本発明による透かし印刷管理システムの印刷管理サーバの機能を示す概略図である。
【図３】（ａ）本発明による透かし印刷管理システムの透かし印刷ドライバの機能を示す概略図である。（ｂ）本発明による透かし印刷管理システムの透かしプリントプロセッサの機能を示す概略図である。（ｃ）本発明による透かし印刷管理システムのプリント監視サービスの機能を示す概略図である。
【図４】本発明による透かし印刷管理システムの透かし定義情報作成ユーティリティの説明図である。
【図５】本発明による第１実施例の透かし印刷管理システムの透かし印刷ドライバが透かし印刷情報の付加を決定する処理フローである。
【図６】本発明による透かし印刷管理システムの透かし定義情報ユーティリティの透かし定義情報設定ダイアログである。
【図７】本発明による透かし印刷管理システムの透かし印刷定義情報ファイルのデータレコードである。
【図８】本発明による透かし印刷管理システムの透かし定義情報印刷プレビューダイアログである。
【図９】本発明による第２実施例の透かし印刷管理システムを概略的に示す構成図である。
【符号の説明】
【００５８】
１，６１  透かし印刷管理システム
２  印刷管理サーバ
３  プリンタ
４  ネットワーク
５  ユーザ端末
６  透かし印刷ポリシー定義ファイル
７  透かし印刷定義情報ファイル
１０  透かし定義情報作成ユーティリティ
１１  透かし印刷ドライバ
１２  透かしプリントプロセッサ
１３  プリントプロセッサ監視サービス
２１  ポリシー問合せ受信手段
２２  ポリシー参照手段
２３  ポリシー送信手段
２４  定義情報問合せ受信手段
２５  定義情報参照手段
２６  定義情報送信手段
３１  ポリシー問合せ手段
３２  ポリシー受信手段
３３  定義情報問合せ手段
３４  定義情報受信手段
３５  定義情報付加手段
３６  プリンタ出力手段
４１  コマンド追加手段
４２  チェック手段
４３  割当て手段
６２  プリントサーバ
【図１】
2007094620.tif 000003
【図２】
2007094620.tif 000004
【図３】
2007094620.tif 000005
【図４】
2007094620.tif 000006
【図５】
2007094620.tif 000007
【図６】
2007094620.tif 000008
【図７】
2007094620.tif 000009
【図８】
2007094620.tif 000010
【図９】
2007094620.tif 000011